(57)【特許請求の範囲】
【請求項１】
第１下地板の背面部に、長さ寸法の異なる複数本の第１補強下地桟が、互いに同じ方向に向けられ、分散状態に配置されて、固着状態に取り付けられると共に、
第２下地板の背面部に、長さ寸法の異なる複数本の第２補強下地桟が、第１下地桟と同じ方向に向けられ、分散状態に配置されて、固着状態に取り付けられ、かつ、
第１補強下地桟が、第２補強下地桟を含む第２下地板の側から離間していると共に、第２補強下地桟が、第１補強下地桟を含む第１下地板の側から離間しており、
前記第１補強下地桟と第２補強下地桟とは下地板間で千鳥状に配置され、第１補強下地桟の離間側の面部が、第２下地板の背面部寄りに位置して備えられていると共に、第２補強下地桟の離間側の面部が、下地板間で、第１下地板の背面部寄りに位置して備えられ、かつ、
第１下地板と第２下地板との間にブレースが入れられ、第１及び第２の各補強下地桟が、ブレースと干渉しない長さ寸法と配置関係において備えられており、
複数本の前記第１補強下地桟が、それらの延びる方向と直交する方向に間隔をおき、長さ方向の一部を重ならせ合って、天井側から床側にわたって備えられていると共に、
複数本の前記第２補強下地桟が、それらの延びる方向と直交する方向に間隔をおき、長さ方向の一部を重ならせ合って、天井側から床側にわたって備えられており、
前記下地板の、補強下地桟の延びる方向における中間部位置において、前記第１補強下地桟及び／又は第２補強下地桟の離間側の面部と、離間する下地板との間に防振ゴムが点状に介設され、該離間する下地板と該下地桟とが、前記点状防振ゴムを貫き該防振ゴムと密着状態となるように打ち込まれたビス又は釘で固着状態に連結され、該ビス又は釘がサウンドブリッジになるのを前記防振ゴムが抑制するようになされていることを特徴とする遮音間仕切り壁の構造。
【発明の詳細な説明】
【技術分野】
【０００１】
本発明は、遮音間仕切り壁の構造に関する。
【背景技術】
【０００２】
遮音間仕切り壁の構造として、従来より、石こうボード等などからなる一方の壁面板の背面部に、床側から天井側にわたって上下方向に延びる互いに同じ長さ寸法の第１補強下地桟が、左右方向に間隔をおいて配置され、ビス等で固着状態に取り付けられると共に、同じく石こうボード等などからなるもう一方の壁面板の背面部に、床側から天井側にわたって延びる上下方向に延びる互いに同じ長さ寸法の第２補強下地桟が、第１補強下地桟の位置と一致するように左右方向に間隔をおいて配置され、ビス等で固着状態に取り付けられ、第１補強下地桟と第２補強下地桟とは互いに離間させた構造にしたものはある。
【０００３】
また、上記の遮音間仕切り壁の構造において、互いに離間させた第１補強下地桟と第２補強下地桟との間の隙間を利用してブレースを通した遮音間仕切り耐力壁の構造もある。
【０００４】
この構造によれば、第１補強下地桟と第２補強下地桟とを互いに離間させているので、共通の補強下地桟に一方の壁面板ともう一方の壁面板とを固着状態に取り付ける場合に比べて、サウンドブリッジによる遮音性能の低下を抑制することができる。
【０００５】
更に、ブレースを通せない遮音間仕切り壁の構造として、上記の第１補強下地桟と第２補強下地桟とが壁面板間で千鳥状に配置され、第１補強下地桟の離間側の面部が、前記もう一方の壁面板の背面部寄りに位置して備えられていると共に、第２補強下地桟の離間側の面部が、前記一方の壁面板の背面部寄りに位置して備えられている構造のものもある。
【特許文献１】特開２００５−１０５６３３号公報
【発明の開示】
【発明が解決しようとする課題】
【０００６】
しかしながら、上記のような構造では、一方の壁面板の背面部に固着状態に取り付けられた各第１補強下地桟についても、もう一方の壁面板の背面部に固着状態に取り付けられた各第２補強下地桟についても、いずれも、床側から天井側にわたって延びる同じ長さ寸法のものからなっているため、固有周波数が同じで、壁面板を透過しやすい周波数の音がこれらの補強下地桟の作用によって増幅され、それが原因で遮音性能が損なわれてしまうという問題がある。
【０００７】
また、壁面板間で第１，第２の補強下地桟を千鳥状配置にした遮音間仕切り壁の構造では、補強下地桟の離間側の面部を、対向する壁面板寄りに位置させることによって補強下地桟の剛性を高めることができるが、そうすると、壁面板間にブレースを通すことができないという問題がある。そのため、ブレースを通す場合は、第１，第２の補強下地桟間にブレースを通すことができる程度の隙間が形成される程度に、補強下地桟の離間側の面部を壁面板から控えさせなければならず、特に、遮音間仕切り壁の壁厚を小さく設計する必要がある場合は、補強下地桟の剛性が低下して撓みやねじれを生じやすくなるという問題を生じる。
【０００８】
本発明は、上記のような問題点に鑑み、遮音性の更なる向上を実現することができる遮音間仕切り壁の構造を提供することを課題とする。
【０００９】
また、本発明は、遮音性の更なる向上のほか、内部にブレースを通すことができ、それでいて、壁厚が小さくても、補強下地桟に撓みやねじれを生じるのを防ぐことができる遮音間仕切り壁の構造を提供することを課題とする。
【課題を解決するための手段】
【００１０】
上記の課題は、第１下地板の背面部に、長さ寸法の異なる複数本の第１補強下地桟が、互いに同じ方向に向けられ、分散状態に配置されて、固着状態に取り付けられると共に、
第２下地板の背面部に、長さ寸法の異なる複数本の第２補強下地桟が、第１下地桟と同じ方向に向けられ、分散状態に配置されて、固着状態に取り付けられ、かつ、
第１補強下地桟が、第２補強下地桟を含む第２下地板の側から離間していると共に、第２補強下地桟が、第１補強下地桟を含む第１下地板の側から離間していることを特徴とする遮音間仕切り壁の構造によって解決される（第１発明）。
【００１１】
この構造では、第１下地板の背面部に固着状態に取り付けられる複数本の第１補強下地桟の長さ寸法が異ならされているので、長さ寸法の異なる第１補強下地桟間で固有周波数が異なり、そのため第１下地板を透過しやすい周波数の音が増幅されず、あるいは、増幅されにくくなり、また、第２下地板についても同様のことが言え、それによって、遮音性能を向上することができる。
【００１２】
第１発明において、前記第１補強下地桟と第２補強下地桟とが下地板間で千鳥状に配置され、第１補強下地桟の離間側の面部が、第２下地板の背面部寄りに位置して備えられていると共に、第２補強下地桟の離間側の面部が、下地板間で、第１下地板の背面部寄りに位置して備えられ、かつ、
第１下地板と第２下地板との間にブレースが入れられ、第１及び第２の各補強下地桟が、ブレースと干渉しない長さ寸法と配置関係において備えられているとよい（第２発明）。
【００１３】
この構造では、第１補強下地桟と第２補強下地桟とが千鳥状に配置され、第１補強下地桟の離間側の面部が、下地板間で、前記第２下地板の背面部寄りに位置して備えられていると共に、前記第２補強下地桟の離間側の面部が、下地板間で、前記第１下地板の背面部寄りに位置して備えられているので、各補強下地桟の剛性を高いものにすることができて、補強下地桟に撓みやねじれを生じるのを防ぐことができる。
【００１４】
しかも、各補強下地桟が、ブレースと干渉しない長さ寸法と配置関係で備えられているので、ブレースと千鳥状配置の補強下地桟とが干渉することはなく、内部にブレースを通した遮音間仕切り耐力壁の構造でありながら、壁厚が小さくても、補強下地桟の撓みやねじれを防ぐことができる。
【００１５】
第１、第２発明において、複数本の前記第１補強下地桟が、それらの延びる方向と直交する方向に間隔をおき、長さ方向の一部を重ならせ合って、天井側から床側にわたって備えられていると共に、
複数本の前記第２補強下地桟が、それらの延びる方向と直交する方向に間隔をおき、長さ方向の一部を重ならせ合って、天井側から床側にわたって備えられているとよい（第３発明）。
【００１６】
この場合は、各下地板の全体の剛性を上記のような補強下地桟によって高いものにすることができて、各下地板のハラミやヘコミの発生を抑えることができる。
【００１７】
第１〜第３発明において、前記下地板の、補強下地桟の延びる方向における中間部位置において、前記第１補強下地桟及び／又は第２補強下地桟の離間側の面部と、離間する下地板との間に防振ゴムが点状に介設され、該離間する下地板と該下地桟とが、前記点状防振ゴムを貫き該防振ゴムと密着状態となるように打ち込まれたビス又は釘で固着状態に連結されているとよい（第４発明）。
【００１８】
この場合は、下地板の、下地桟の延びる方向における中間部位置において、下地桟と、離間する下地板とが、ビス又は釘で連結されているので、下地板のハラミやヘコミの発生をより一層効果的に防ぐことができる。しかも、補強下地桟の離間側の面部と、離間する下地板との間に防振ゴムが介設され、ビス又は釘は、防振ゴムを貫き該防振ゴムと密着状態となるように打ち込まれているので、ビス又は釘がサウンドブリッジとなるのを防振ゴムが防いで、遮音性能の低下を抑制することができる。加えて、防振ゴムは点状に介設されているから、防振ゴムがサウンドブリッジとなるのも効果的に抑制することができる。更に、補強下地桟の離間側の面部と、離間する下地板との間に防振ゴムを介設し、防振ゴムを貫通するようにビス又は釘を打ち込むだけでよいから、施工が容易であると共に、コスト面での有利性も発揮することができる。
【発明の効果】
【００１９】
本発明は、以上のとおりのものであるから、下地板を透過しやすい周波数の音の増幅を阻止ないしは抑制することができて、遮音性の更なる向上を実現することができる。
【００２０】
また、遮音性の更なる向上のほか、内部にブレースを通すことができ、それでいて、壁厚が小さくても、補強下地桟に撓みやねじれを生じるのを防ぐことができる。
【発明を実施するための最良の形態】
【００２１】
次に、本発明の実施最良形態を図面に基づいて説明する。
【００２２】
図１〜図３に示す実施形態の遮音間仕切り壁の構造において、１，１は左右の構造用柱であり、柱１，１間にはブレース２，２がＸ状に配設され、遮音間仕切り壁は、これら柱１，１間にブレース２，２を内部に存在させるように設けられて、遮音間仕切り耐力壁を構成するようになされており、図２（イ）に示すように、一方の室側に面する方形の合板からなる第１下地板３と、もう一方の室側に面する同じく方形の合板からなる第２下地板４とが備えられている。
【００２３】
第１下地板３には、図３（イ）及び図１（ロ）に示すように、その背面部において、上下方向に向けられた木製の第１補強下地桟５…が、左右方向に間隔をおいて、左右の両側縁部の２箇所と、両側縁部間の中間３箇所の合計５列状態となるように配置されると共に、
左右の両側縁部の２箇所の各列では、上下方向に１本の第１補強下地桟５ａがブレース２，２と干渉しない長さ寸法にされて、図２（ロ）に示すように、前記第１下地板３に釘又はビス７で固着状態に取り付けられ、
両側縁部間の３列のうちの左右の２列ではそれぞれ、上下方向に３本の第１補強下地桟５ｂ，５ｃ，５ｂ；５ｄ，５ｃ，５ｄが、また、両側縁部間の３列のうちの中間１列では、上下方向に２本の第１補強下地桟５ｅ，５ｅがそれぞれ、ブレース２，２と干渉しない長さ寸法にされ、ブレース２，２を挟むように上下方向に間隔をおいて、第１下地板３に釘又はビス７で固着状態に取り付けられて、第１下地パネル８を構成している。
【００２４】
こうして、第１下地板３の背面部に、互いに長さ寸法の異なる第１補強下地桟５ａ，５ｂ，５ｃ，５ｄ，５ｅが固着状態に備えられると共に、第１補強下地桟５…が、長さ方向の一部を重ならせ合って、天井側から床側にわたって備えられた構造にされている。
【００２５】
また、第２下地板４には、図３（ロ）に示すように、その背面部において、上下方向に向けられた木製の第２補強下地桟６…が、左右方向に間隔をおいて、左右の両側縁部間の中間３箇所の合計３列状態となるように配置されると共に、
両側縁部間の３列のうちの左右の２列ではそれぞれ、上下方向に３本の第２補強下地桟６ｂ，６ｃ，６ｂ；６ｄ，６ｃ，６ｄが、また、両側縁部間の左右３列のうちの中間１列では、上下方向に２本の第２補強下地桟６ｅ，６ｅがそれぞれ、ブレース２，２と干渉しない長さ寸法にされ、ブレース２，２を挟むように上下方向に間隔をおいて、第２下地板４に釘又はビス７で固着状態に取り付けられて、第２下地パネル９を構成している。
【００２６】
こうして、第２下地板４の背面部に、互いに長さ寸法の異なる第２補強下地桟６ｂ，６ｃ，６ｄ，６ｅが固着状態に備えられると共に、第２補強下地桟６…が、長さ方向の一部を重ならせ合って、天井側から床側にわたって備えられた構造にされている。なお、本実施形態では、第１補強下地桟５ａと第１補強下地桟５ｅとの間隔寸法は、１ｍ程度に設定されている。
【００２７】
そして、前記第１下地パネル８の下地板３の背面部の上下の縁部にはそれぞれ、天井側及び床側への取付け部になる木製の横枠１０，１１が、ビス又は釘で固着状態に取り付けられており、両方の下地パネル８，９をその背面側が対面するように組み合わせることにより、該上下の横枠１０，１１は、第２下地板４の背面部に当接して下地板３，４間の間隔寸法を所定の一定間隔寸法にするスペーサーとして機能すると共に、前記第２下地板４の上下の縁部がビス又は釘で上下の横枠１０，１１に固着状態に取り付けられて、間仕切り壁が構成されるようになされている。
【００２８】
この組み合わせ状態において、図２（イ）（ロ）に示すように、第１補強下地桟５…と第２補強下地桟６…とは、左右方向において位置をずらすようにして位置し、第１補強下地桟５…は、前記第２下地板４の背面部から離間していると共に、第２補強下地桟６…も、前記第１下地板３の側から離間し、第１補強下地桟５…と第２補強下地桟６…とが、下地板３，４間で千鳥状に配置され、第１補強下地桟５…の離間側の面部が、前記第２下地板４の背面部寄りに位置して備えられていると共に、前記第２補強下地桟６…の離間側の面部が、下地板３，４間で、前記第１下地板３の背面部寄りに位置して備えられるようになされている。
【００２９】
また、前記第１下地パネル８において、その上下方向の中央部ないしは中央周辺部において、第１補強下地桟５の離間側の面部には、硬度５０程度の防振ゴム１２が点状に貼り付けられ、両方の下地パネル８，９が組み合わされた状態で、第１補強下地桟５の離間側の面部と、離間する第２下地板４との間に上記の防振ゴム１２が介在し、第１補強下地桟５と、離間する第２下地板４とが、点状防振ゴム１２を貫き該防振ゴム１２と密着状態となるように打ち込まれた釘又はビス１３で固着状態に連結されている。
【００３０】
釘又はビス１３で貫かれる上記のような点状防振ゴム１２は、左右方向及び上下方向に多数、配置することで、貫く釘又はビス１３による連結作用で第２下地板４のハラミやヘコミの発生を防ぐ効果は高められるが、その一方で、釘又はビス１３と防振ゴム１２を通じたサウンドブリッジによる遮音性能の低下が大きくなってしまうことから、上下方向の中央部ないしは中央周辺部であって、左右方向に１ｍ程度間隔をおくように備えさせるようにするのがよい。図示するような配置にすれば、下地板４のハラミやヘコミの発生を有効的に防ぐことができながら、そのような「点状防振ゴム１２…を用いた釘又はビス１３による連結」を行わない場合と遜色のない略同等の遮音性能が確保されることを確認している。
【００３１】
なお、１４，１４は石こうボード等の内装材である。
【００３２】
上記の遮音間仕切り壁の構造では、第１下地板３の背面部に固着状態に取り付けられる第１補強下地桟５ａ，５ｂ，５ｃ，５ｄ，５ｅの長さ寸法が互いに異ならされているので、それぞれの固有周波数が異なり、下地板３を透過しやすい周波数の音が増幅されず、あるいは、増幅されにくくなり、第２下地板４についても同様のことが言え、それによって、遮音性能を向上することができる。
【００３３】
また、第１補強下地桟５…と第２補強下地桟６…とが千鳥状に配置され、第１補強下地桟５の離間側の面部が、下地板３，４間で、前記第２下地板４の背面部寄りに位置して備えられていると共に、第２補強下地桟６…の離間側の面部が、下地板３，４間で、前記第１下地板３の背面部寄りに位置して備えられているので、各補強下地桟５…，６…の剛性を高いものにすることができて、補強下地桟５…，６…に撓みやねじれを生じるのを防ぐことができる。
【００３４】
しかも、第１及び第２の各補強下地桟５…，６…は、ブレース２，２と干渉しない長さ寸法と配置関係で備えられているので、ブレース２，２と千鳥状配置の補強下地桟５…，６…とが干渉することはなく、内部にブレース２，２を通した遮音間仕切り耐力壁の構造でありながら、壁厚が小さくても、補強下地桟５…，６…の撓みやねじれを防ぐことができる。
【００３５】
また、第１補強下地桟５…は、それらの延びる方向と直交する方向に間隔をおき、長さ方向の一部を重ならせ合って、天井側から床側にわたって備えられると共に、第２補強下地桟６…についても同様であるから、各下地板３，４、ひいては下地パネル８，９の全体の剛性を上記のような補強下地桟５…，６…によって高いものにすることができて、各下地板３，４、ひいては下地パネル８，９のハラミやヘコミの発生を抑えることができて、施工を容易にすることができる。
【００３６】
以上に、本発明の実施形態を示したが、本発明はこれに限られるものではなく、発明思想を逸脱しない範囲で各種の変更が可能である。例えば、上記の実施形態では、内部にブレースが２本、Ｘ状に通されている遮音間仕切り耐力壁に適用した場合を示しているが、第２発明は、１本のブレースが内部に通されている遮音間仕切り耐力壁の構造に適用されてもよいし、第１発明などの第２発明以外の発明は、そのような遮音間仕切り耐力壁に限らず、ブレースの通されていない非耐力の遮音間仕切り壁に適用されてもよい。
【００３７】
また、上記の実施形態では、補強下地桟５…，６…が上下方向に延ばされて備えられている場合を示したが、左右方向に延ばされた構造になっていてもよい。
【図面の簡単な説明】
【００３８】
【図１】実施形態の遮音間仕切り壁の構造を示すもので、図（イ）は正面図、図（ロ）は、もう一方の側の下地パネルを外した状態の正面図である。
【図２】図（イ）は図１（イ）のＩ−Ｉ線断面矢視図、図（ロ）は図（イ）の一部拡大図である。
【図３】図（イ）は一方の下地パネルの背面図、図（ロ）はもう一方の下地パネルの背面図である。
【符号の説明】
【００３９】
２…ブレース
３…第１下地板
４…第２下地板
５，５ａ，５ｂ，５ｃ，５ｄ，５ｅ…第１補強下地桟
６，６ｂ，６ｃ，６ｄ，６ｅ…第２補強下地桟
７…ビス
８…第１下地パネル
９…第２下地パネル
１２…点状防振ゴム
１３…ビス
【図１】
0005443698.tif 000002
【図２】
0005443698.tif 000003
【図３】
0005443698.tif 000004